【手続補正書】
【提出日】平成18年8月22日(2006.8.22)
【手続補正１】
【補正対象書類名】明細書
【補正対象項目名】発明の名称
【補正方法】変更
【補正の内容】
【発明の名称】コンピュータ周辺機器及びその制御方法、撮像装置及びその制御方法並びにコンピュータ可読記憶媒体
【手続補正２】
【補正対象書類名】明細書
【補正対象項目名】特許請求の範囲
【補正方法】変更
【補正の内容】
【特許請求の範囲】
【請求項１】
ホストとなるコンピュータと通信する通信手段と、
前記ホストとの通信状態を監視する監視手段と、
予め定められた時間、前記監視手段により通信が無いと判断された場合、前記通信手段により前記ホストに非接続を示す信号を送信すると共に、自らの稼動状態を低消費電力状態に移行する制御手段
とを有する事を特徴とするコンピュータ周辺機器。
【請求項２】
前記制御手段により、前記通信手段による前記ホストからの接続を示す信号の受信に応じて、前記低消費電力状態から復帰する事を特徴とする請求項１に記載のコンピュータ周辺機器。
【請求項３】
更に操作用キースイッチ手段を有し、
前記制御手段により、前記操作用キースイッチ手段の操作に応じて、前記低消費電力状態から復帰する事を特徴とする請求項１又は２に記載のコンピュータ周辺機器。
【請求項４】
更に通信開始の設定を行う設定手段を有し、
前記通信手段での接続を開始する際、前記低消費電流状態からの復帰後、前記設定手段による通信開始の設定に次いで、前記制御手段により通信相手の存在を検知する事を特徴とする請求項１乃至３のいずれか１項に記載のコンピュータ周辺機器。
【請求項５】
更に通信解除の設定を行う解除手段を有し、
前記通信手段での接続を解除する際、前記制御手段により通信相手の存在を検知しないようにした後、前記解除手段による通信解除の設定に次いで、前記低消費電力状態に移行する事を特徴とする請求項１乃至４のいずれか１項に記載のコンピュータ周辺機器。
【請求項６】
更に電源としての電池を備える事を特徴とする請求項１乃至５のいずれか１項に記載のコンピュータ周辺機器。
【請求項７】
ホストとなるコンピュータと通信する通信工程と、
前記ホストとの通信状態を監視する監視工程と、
予め定められた時間、前記監視工程により通信が無いと判断された場合、前記通信工程により前記ホストに非接続を示す信号を送信すると共に、自らの稼動状態を低消費電力状態に移行する制御工程
とを有する事を特徴とするコンピュータ周辺機器の制御方法。
【請求項８】
前記制御工程により、前記通信工程による前記ホストからの接続を示す信号の受信に応じて、前記低消費電力状態から復帰する事を特徴とする請求項７に記載のコンピュータ周辺機器の制御方法。
【請求項９】
更に操作用キースイッチ検出工程を有し、
前記制御工程により、前記操作用キースイッチ検出工程の出力に応じて、前記低消費電力状態から復帰する事を特徴とする請求項７乃至８のいずれか１項に記載のコンピュータ周辺機器の制御方法。
【請求項１０】
更に通信開始の設定を行う設定工程を有し、
前記通信工程での接続を開始する際、前記低消費電流状態からの復帰後、前記設定工程による通信開始の設定に次いで、前記制御工程により通信相手の存在を検知する事を特徴とする請求項７乃至９のいずれか１項に記載のコンピュータ周辺機器の制御方法。
【請求項１１】
更に通信解除の設定を行う解除工程を有し、
前記通信工程での接続を解除する際、前記制御工程により通信相手の存在を検知しないようにした後、前記解除工程による通信解除の設定に次いで、前記低消費電力状態に移行する事を特徴とする請求項７乃至１０のいずれか１項に記載のコンピュータ周辺機器の制御方法。
【請求項１２】
撮像手段と、
ホストとなるコンピュータと通信する通信手段と、
前記ホストとの通信状態を監視する監視手段と、
予め定められた時間、前記監視手段により通信が無いと判断された場合、前記通信手段により前記ホストに非接続を示す信号を送信すると共に、自らの稼動状態を低消費電力状態に移行する制御手段
とを有する事を特徴とする撮像装置。
【請求項１３】
前記制御手段により、前記通信手段による前記ホストからの接続を示す信号の受信に応じて、前記低消費電力状態から復帰する事を特徴とする請求項１２に記載の撮像装置。
【請求項１４】
更に操作用キースイッチ手段を有し、
前記制御手段により、前記操作用キースイッチ手段の操作に応じて、前記低消費電力状態から復帰する事を特徴とする請求項１２又は１３に記載の撮像装置。
【請求項１５】
更に通信開始の設定を行う設定手段を有し、
前記通信手段での接続を開始する際、前記低消費電流状態からの復帰後、前記設定手段による通信開始の設定に次いで、前記制御手段により通信相手の存在を検知する事を特徴とする請求項１２乃至１４のいずれか１項に記載の撮像装置。
【請求項１６】
更に通信解除の設定を行う解除手段を有し、
前記通信手段での接続を解除する際、前記制御手段により通信相手の存在を検知しないようにした後、前記解除手段による通信解除の設定に次いで、前記低消費電力状態に移行する事を特徴とする請求項１２乃至１５のいずれか１項に記載の撮像装置。
【請求項１７】
更に電源としての電池を備える事を特徴とする請求項１２乃至１６のいずれか１項に記載の撮像装置。
【請求項１８】
撮像工程を備えた撮像装置の制御方法であって、
ホストとなるコンピュータと通信する通信工程と、
前記ホストとの通信状態を監視する監視工程と、
予め定められた時間、前記監視工程により通信が無いと判断された場合、前記通信工程により前記ホストに非接続を示す信号を送信すると共に、自らの稼動状態を低消費電力状態に移行する制御工程
とを有する事を特徴とする撮像装置の制御方法。
【請求項１９】
前記制御工程により、前記通信工程による前記ホストからの接続を示す信号の受信に応じて、前記低消費電力状態から復帰する事を特徴とする請求項１８に記載の撮像装置の制御方法。
【請求項２０】
更に操作用キースイッチ検出工程を有し、
前記制御工程により、前記操作用キースイッチ検出工程の出力に応じて、前記低消費電力状態から復帰する事を特徴とする請求項１８又は１９に記載の撮像装置の制御方法。
【請求項２１】
更に通信開始の設定を行う設定工程を有し、
前記通信工程での接続を開始する際、前記低消費電流状態からの復帰後、前記設定工程による通信開始の設定に次いで、前記制御工程により通信相手の存在を検知する事を特徴とする請求項１８乃至２０のいずれか１項に記載の撮像装置の制御方法。
【請求項２２】
更に通信解除の設定を行う解除工程を有し、
前記通信工程での接続を解除する際、前記制御工程により通信相手の存在を検知しないようにした後、前記解除工程による通信解除の設定に次いで、前記低消費電力状態に移行する事を特徴とする請求項１８乃至２１のいずれか１項に記載の撮像装置の制御方法。
【請求項２３】
コンピュータが読み込み実行することで、請求項７乃至１１のいずれか１項に記載の各工程を実行させるコンピュータプログラムを格納したことを特徴とするコンピュータ可読記憶媒体。
【請求項２４】
コンピュータが読み込み実行することで、請求項１８乃至２２のいずれか１項に記載の各工程を実行させるコンピュータプログラムを格納したことを特徴とするコンピュータ可読記憶媒体。
【手続補正３】
【補正対象書類名】明細書
【補正対象項目名】０００１
【補正方法】変更
【補正の内容】
【０００１】
【発明の属する技術分野】
本発明は、コンピュータ周辺機器及びその制御方法、撮像装置及びその制御方法並びにコンピュータ可読記憶媒体に関し、より具体的には、低消費電力であって、ホストとの通信接続を自在に管理できるコンピュータ周辺機器及びその制御方法、撮像装置及びその制御方法並びにコンピュータ可読記憶媒体に関する。
【手続補正４】
【補正対象書類名】明細書
【補正対象項目名】０００８
【補正方法】変更
【補正の内容】
【０００８】
本発明は、このような不都合を解消するコンピュータ周辺機器及びその制御方法、撮像装置及びその制御方法並びにコンピュータ可読記憶媒体を提示することを目的とする。
【手続補正５】
【補正対象書類名】明細書
【補正対象項目名】０００９
【補正方法】変更
【補正の内容】
【０００９】
【課題を解決するための手段】
本発明に係るコンピュータ周辺機器は、ホストとなるコンピュータと通信する通信手段と、前記ホストとの通信状態を監視する監視手段と、予め定められた時間、前記監視手段により通信が無いと判断された場合、前記通信手段により前記ホストに非接続を示す信号を送信すると共に、自らの稼動状態を低消費電力状態に移行する制御手段とを有する事を特徴とする。
【手続補正６】
【補正対象書類名】明細書
【補正対象項目名】００１０
【補正方法】変更
【補正の内容】
【００１０】
本発明に係るコンピュータ周辺機器の制御方法は、ホストとなるコンピュータと通信する通信工程と、前記ホストとの通信状態を監視する監視工程と、予め定められた時間、前記監視工程により通信が無いと判断された場合、前記通信工程により前記ホストに非接続を示す信号を送信すると共に、自らの稼動状態を低消費電力状態に移行する制御工程とを有する事を特徴とする。
【手続補正７】
【補正対象書類名】明細書
【補正対象項目名】００１１
【補正方法】変更
【補正の内容】
【００１１】
本発明に係る撮像装置は、撮像手段と、ホストとなるコンピュータと通信する通信手段と、前記ホストとの通信状態を監視する監視手段と、予め定められた時間、前記監視手段により通信が無いと判断された場合、前記通信手段により前記ホストに非接続を示す信号を送信すると共に、自らの稼動状態を低消費電力状態に移行する制御手段とを有する事を特徴とする。
本発明に係る撮像装置の制御方法は、撮像工程を備えた撮像装置の制御方法であって、ホストとなるコンピュータと通信する通信工程と、前記ホストとの通信状態を監視する監視工程と、予め定められた時間、前記監視工程により通信が無いと判断された場合、前記通信工程により前記ホストに非接続を示す信号を送信すると共に、自らの稼動状態を低消費電力状態に移行する制御工程とを有する事を特徴とする。
【手続補正８】
【補正対象書類名】明細書
【補正対象項目名】００１２
【補正方法】変更
【補正の内容】
【００１２】
本発明に係るコンピュータ可読記憶媒体には、コンピュータが読み込み実行することで、上記制御方法の各工程を実行させるコンピュータプログラムを格納したことを特徴とする。
【手続補正９】
【補正対象書類名】明細書
【補正対象項目名】００２０
【補正方法】変更
【補正の内容】
【００２０】
バッファ７０は、ＶＢＵＳ信号線に所定以上の電圧が印加されているかどうかに応じて、Ｈ又はＬを出力する。プログラマブル割込み制御回路６４は、バッファ７０の出力がＬからＨ又はＨからＬに変化したときに、これを割込み信号として検出する。即ち、電池７４により動作電力を供給されている状態では、バッファ７０の出力レベルにより、本装置４０がホストＰＣ１０に物理的に接続されているかどうかを知ることが出来る。バッファ７０の出力がＬからＨに変化したということは、外れていたコネクタ３４又は同３６がユーザによって接続されたことを示す。従って、例えば、それまでＣＰＵ５０が省電力モードであった場合には、バッファ７０の出力レベルの遷移に応じてＣＰＵ５０を高速モードに移行させることができる。また、バッファ７０の出力がＬであるということは、周辺機器４０がホストＰＣ１０９に接続されていないことを示している。この場合には、例え撮影のためにＣＰＵ５０が、高速モードで動作していても、ＳＩＥ回路４６及びＥＰＣ回路４８へのクロック供給を止めても良く、これにより無駄な電力消費を節減できる。
【手続補正１０】
【補正対象書類名】明細書
【補正対象項目名】００２１
【補正方法】変更
【補正の内容】
【００２１】
ポート制御回路６２は、バッファ７０の出力及び操作キー７２のキー操作を読取り、その読取り結果又はＣＰＵ５０からの指示に従い、プルアップ抵抗７８への電圧印加を制御する。プルアップ抵抗７８への印加電圧を３．３Ｖにすることで、Ｄ＋線に対してプルアップし、印加電圧を０ＶまたはＨｉＺにすることで、Ｄ＋線に対してプルダウンまたは開放にすることができる。これにより、周辺機器４０が通信の準備が整っている状態にあるときにプルアップ抵抗７８をプルアップしておくことで、ホストＰＣ１０にＵ周辺機器４０がＵＳＢケーブル３０で接続されていると認識させることができる。逆に、通信の準備が整っていない場合には、プルアップ抵抗７８をプルダウンまたは開放にすることで、ホストＰＣ１０に周辺機器４０が接続されていないと認識させることができ、ホストＰＣ１０は、周辺機器４０に対するアドレス設定などの通信を開始しない。周辺機器４０で通信の準備が出来た時点で、プルアップ抵抗７８をプルアップすれば、ホストＰＣ１０は、周辺機器４０が接続されたと認識する。
【手続補正１１】
【補正対象書類名】明細書
【補正対象項目名】００２６
【補正方法】変更
【補正の内容】
【００２６】
この後、周辺機器４０は、ホストＰＣ１０の要求に応じて適宜にホストＰＣ１０と通信する（Ｓ８）。この通信には、ホストＰＣ１０のドライバが必要に応じて通信する場合と、カメラ撮影の指示、ファインダで撮影中の画像の転送及びメモリーカード６０とのファイル転送など、ユーザの操作に従って開始する場合とがある。１０分間等の所定時間、アクセスが無いと、タイムアウトと判断する（Ｓ９）。タイムアウトが発生すると、通信は遮断されるが、ユーザがファイル転送など、未だ通信する予定がある場合などが考えられるので、確認メッセージを画面に出し（Ｓ１０）、ユーザの承認を待つ（Ｓ１１）。ユーザが承認したら（Ｓ１１）、通信終了処理として、ホストＰＣ１０にその旨を通知すると共に、本装置内で通信終了を設定する（Ｓ１２）。
【手続補正１２】
【補正対象書類名】明細書
【補正対象項目名】００３２
【補正方法】変更
【補正の内容】
【００３２】
スリープモードに移行する際には、予めホストＰＣ１０に通信終了を通知するので、異常終了になる危険性がない。再起動する場合には、一旦、バスから外されたデバイスを再接続するのと同じ手順を踏むので、周辺機器側で通信準備が出来ていないためにエラーになることがない。再接続には、周辺機器側のどれかのキースイッチに触れるか、ＵＳＢコネクタを一旦抜いて差し直すだけであるので、操作の負担が少ない。